(57)【要約】【課題】近距離無線通信により通信を行う場合に、他の操作指示に対して誤操作とならないような画像形成装置を提供すること。【解決手段】情報を表示可能な操作表示部を有する操作パネルを備えた画像形成装置であって、前記操作パネルには、ユーザからの第１の操作指示を受け付ける第１の操作キーと、ユーザからの第２の操作指示を受け付ける第２の操作キーと、近接された携帯端末と無線による通信を行う近距離無線通信部と、が配置されており、前記第１の操作キーは、選択状態となったときに第１の操作指示を受け付け、前記第２の操作キーは、選択状態が解除されたときに第２の操作指示を受け付けることを特徴とする。【選択図】図６
2019117523.tif 000002
【特許請求の範囲】
【請求項１】
情報を表示可能な操作表示部を有する操作パネルを備えた画像形成装置であって、
前記操作パネルには、
ユーザからの第１の操作指示を受け付ける第１の操作キーと、ユーザからの第２の操作指示を受け付ける第２の操作キーと、近接された携帯端末と無線による通信を行う近距離無線通信部と、が配置されており、
前記第１の操作キーは、選択状態となったときに第１の操作指示を受け付け、前記第２の操作キーは、選択状態が解除されたときに第２の操作指示を受け付けることを特徴とする画像形成装置。
【請求項２】
前記第２の操作キーは、前記近距離無線通信部が前記携帯端末と無線により通信を行っているときは、第２の操作指示を受け付けないことを特徴とする請求項１に記載の画像形成装置。
【請求項３】
前記第２の操作キーは、前記近距離無線通信部が通信を終了後、所定時間の間は第２の操作指示を受け付けないことを特徴とする請求項１に記載の画像形成装置。
【請求項４】
前記第２の操作キーは、所定時間以上選択状態が継続した場合には、当該選択状態が解除されたとしても、第２の操作指示として受け付けないことを特徴とする請求項１に記載の画像形成装置。
【請求項５】
前記操作パネルには、前記第１の操作キーと、前記第２の操作キーと、前記近距離無線通信部とが、一直線上に配置されていることを特徴とする請求項１から４の何れか一項に記載の画像形成装置。
【発明の詳細な説明】
【技術分野】
【０００１】
本発明は、携帯端末と近距離無線による通信が可能な近距離無線通信機能を備えた画像形成装置に関する。
【背景技術】
【０００２】
近年、外部の携帯端末に記憶している画像データを画像形成装置に取り込む方法として従来のメモリーカードを介した方法に変えて、簡易な無線通信を用いて画像データを取り込む画像形成装置が提案されている。特に、通信速度が遅いＮＦＣ（Near Field Communication）は画像データの送信の為のトリガーとし、画像データ自体は予め設定されているＷｉＦｉ（登録商標）通信を用いた通信にて画像データを携帯端末より取り込む仕組みが採用されている。
【０００３】
このとき、ＮＦＣを搭載した携帯端末と画像形成装置を近距離に接近させることにより通信させる必要があり、その使用にあたっては、画像形成装置に対して指示を与える操作部が設けられている操作パネル内に通信エリアを配置することで操作を一か所にて集中させることが出来、通信エリアの場所を容易に確認する事が出来る。
【０００４】
しかしながら、通信エリアを操作パネルに配置することで、携帯端末を通信エリアに近づける際に、誤って画像形成装置に対して指示を与える操作部を触ってしまい誤入力を与える可能性があった。
【０００５】
これに対して、特許文献１では、近距離無線の検知部近傍への物体の存在を検知することにより、タッチパネルの近距離無線検知部近傍の領域の入力を無効とし受け付けないことで誤入力を防止する画像形成装置が提案されている。
【先行技術文献】
【特許文献】
【０００６】
【特許文献１】特開２０１６−１１５０４６号公報
【発明の概要】
【発明が解決しようとする課題】
【０００７】
上述した特許文献１に開示された画像形成装置では、携帯端末のタッチエリアが操作パネルの奥行き方向中央部に設けられており、複数のキーからなるキー群より奥に配置されており、昨今の携帯端末の大型化に伴い、携帯端末をタッチエリアに翳すには、その一部がキー群に被さることになり、携帯端末の存在を検出するより先にこれらのキーが携帯端末を検出した場合、誤入力により画像形成装置が処理を実行してしまうことになってしまう。
【０００８】
上述した課題に鑑み、本発明の目的は、近距離無線通信により通信を行う場合に、他の操作指示に対して誤操作とならないような画像形成装置を提供することである。
【課題を解決するための手段】
【０００９】
上述した課題を解決するために、本発明の画像形成装置は、
情報を表示可能な操作表示部を有する操作パネルを備えた画像形成装置であって、
前記操作パネルには、
ユーザからの第１の操作指示を受け付ける第１の操作キーと、ユーザからの第２の操作指示を受け付ける第２の操作キーと、近接された携帯端末と無線による通信を行う近距離無線通信部と、が配置されており、
前記第１の操作キーは、選択状態となったときに第１の操作指示を受け付け、前記第２の操作キーは、選択状態が解除されたときに第２の操作指示を受け付けることを特徴とする。
【発明の効果】
【００１０】
本明細書によって開示される近距離無線通信機能を備えた画像形成装置では、近距離無線通信を行うために携帯端末を翳した場合であっても、他の操作入力との誤動作を抑制することが出来る。
【図面の簡単な説明】
【００１１】
【図１】本実施形態に係るＭＦＰの斜視図。
【図２】ＭＦＰの電気構成を示すブロック図。
【図３】第１の実施形態における操作パネル平面図。
【図４】第１の実施形態における操作パネルの分解斜視図。
【図５】第１の実施形態における操作パネル箇所の斜視図。
【図６】第１の実施形態における操作パネル箇所の斜視図。（携帯端末を翳した図）
【図７】第１の実施形態の操作パネルの入力状態（タイミング）を説明するための図。
【図８】第２の実施形態における状態を説明する図。
【図９】第３の実施形態における状態を説明する図。
【図１０】第５の実施形態における操作パネル箇所の斜視図。
【図１１】第５の実施形態における操作パネル箇所の斜視図。（携帯端末を翳した図）
【図１２】第５の実施形態における操作パネル箇所の断面図。（携帯端末を翳した図）
【発明を実施するための形態】
【００１２】
以下、図面を参照して本発明を実施するための一実施形態について説明する。なお、説明の都合上、実施形態としては、本発明の画像形成装置を、ＭＦＰ（Multifunction Peripheral）を例にとり説明するが、近距離無線通信部と、タッチパネルによる操作パネルを備えた画像形成装置であれば適用可能なことは勿論である。
【００１３】
＜第１〜５に共通する実施形態＞
図１に、本発明に係る実施形態として例とするＭＦＰ（Multifunction Peripheral ）１の外観図を示す。
【００１４】
図１のＭＦＰ１には、コピー、ファクス、スキャン、サーバ保存等の各種機能を備え、外観的として、原稿自動送り装置２、操作パネル３、排紙トレイ４、３段給紙ディスク５、手差しトレイ６、前カバー７、右側面カバー８が設けられている。
【００１５】
原稿自動送り装置２は、セットされた原稿を自動で送り出すことで原稿を連続して読み込むことを可能とするものであり、その原稿送りの搬送途中にスキャナーが設けられておりその箇所を通過した原稿が読み取られる様になっている。原稿搬送の原稿を挟む様に上下にスキャナーを設けることにより原稿の裏表両面を同時に読み取ることも可能である。
【００１６】
操作パネル３に関しては、後述に更に詳細に説明を行うが、ユーザからの操作指示を受け付けることによりＭＦＰ１に指示を与えるインターフェースとして機能する。
【００１７】
排紙トレイ４は、印刷後の用紙が排紙されるトレイであり、複数枚の用紙を保持する空間を備えている。また、印刷された用紙は図示しない後処理によりジョブ単位で左右にシフトして出力されて区別する様になってもよい。
【００１８】
３段給紙ディスク５は、給紙され印刷に用いる用紙を予めセットするディスクであり、この例では各段に異なる３種類の用紙をセットすることを可能としている。
【００１９】
手差しトレイ６は、この場所に用紙をセットすることによって、上述した３段給紙ディスク５にセットした以外の用紙をＭＦＰ１に対し給紙可能とするものである。
【００２０】
前カバー７は、回動により開けることが可能で、その内部には、電源スイッチ、印刷に必要となるトナーカートリッジや印刷部等が収納されている。
【００２１】
右側面カバー８は、印刷の途中の用紙が搬送途中で詰った場合に解除作業を行う際に開けるカバーである。
【００２２】
続いて、図２はＭＦＰ１の機能構成を説明するためのブロック図である。制御部２０１は、後述する記憶部２０２に記憶されているプログラムの内容に従い、ＭＦＰ全体の各部に対する制御を行なう為のもので、その内部には演算を行い、指示を行うＣＰＵ（Central Processing Unit）、作業エリアとしての高速なメモリ等を備えている。
【００２３】
記憶部２０２は、ＨＤＤ（Hard Disk Drive）や、ＳＳＤ（Solid State Drive）等の半導体記憶部等から構成されており、制御部２０１を制御するプログラムが予め記憶されており、それ以外にもユーザにより設定された各種設定が不揮発的に記憶されている。
【００２４】
入力Ｉ／Ｆ２０３は、スキャナー部２０４、ＵＳＢ（Universal Serial Bus）２０５、節電キー２０６（４０５）、ホームキー２０７（４０６）、タッチパネル２０８等の各種入力部からの信号を受け、制御部２０１にその内容を伝達する為のものである。
【００２５】
スキャナー部２０４は、図１の原稿自動送り装置２にて搬送中の原稿の読み取り、または、図示していない原稿台にセットされた原稿を読み取る為のものでＣＣＤ（Charge Coupled Device）イメージセンサ等の光学センサにより構成される。
【００２６】
ＵＳＢ２０５は、外部の記憶装置（例えば、ＵＳＢメモリ等）と接続するＩ／Ｆで、本実施形態ではＵＳＢメモリに対して読み書きを可能とするものである。
【００２７】
節電キー２０６（４０５）は、ＭＦＰ１を、電力消費を抑えた節電モードへと移行させる指示を与える為のもので、ユーザからの操作を静電容量の変化により検出を行うもので、誤接触によるモード移行を防止する為に、連続して例えば１秒間入力が継続されることによりモード移行を行う処理が施されている。
【００２８】
ホームキー２０７（４０６）は、ＭＦＰ１が備える各種機能を選択する画面へと操作画面を移行させる為のもので、節電キー２０６同様にユーザからの操作を静電容量の変化により検出を行うが、節電キー２０６のように時間の経過を必要とすると使い勝手が悪くなることから、キー入力後の解除により画面の移行を行うようにしている。
【００２９】
節電キー２０６及びホームキー２０７は、各キー入力がタッチにより選択されることで選択状態となるが、タッチ以外の選択手段であってもよい。例えば、ハードウェアキーにより実現されてもよい。
【００３０】
タッチパネル２０８は、アナログ抵抗膜方式のタッチパネルであり、後述する表示部２１０上に設けられており、表示部２１０に表示されている位置に対する入力を検出するのに用いられている。
【００３１】
タッチパネル２０８は電圧の分圧を利用したアナログ抵抗膜方式に限らず、指とパターン間の静電容量の変化の検出を用いる静電容量方式、照射される赤外線の遮断箇所を用いる赤外線光遮断方式、カメラにて撮影した指の影にて位置を特定するカメラ方式に置き換えることも可能である。
【００３２】
出力Ｉ／Ｆ２０９は制御部２０１よりの出力信号をユーザに対して出力する為のもので、制御部２０１の出力により図示していないビットマップ上に表示すべき情報へと変換を行なうと共に、表示部２１０を駆動する為の駆動信号を生成し表示部２１０に供給している。
【００３３】
表示部２１０は、ユーザに対して情報を提供する為に用いられており、例えば液晶ディスプレイ、ＥＬ（electroluminescence）ディスプレイ等の平面表示が用いられている。
【００３４】
通信Ｉ／Ｆ２１１は、ＭＦＰ１が外部の装置との通信を行う為の構成との間を取り持つ役目をはたしており、電話回線を用いてＦＡＸ通信等を行う電話部２１２、インターネット回線を用いて電子メール通信を行うＬＡＮ通信部２１３、無線により数十メートル間の高速通信が可能なＷｉＦｉ通信部２１４、そして、比較的近距離の無線通信を行うＮＦＣ通信部２１５（４０９）が接続されている。
【００３５】
ＮＦＣ通信部２１５は、近接された端末装置（例えば、携帯端末）と、無線により通信を行う近距離無線通信機能部である。
【００３６】
印刷部２１６は、図１の３段給紙ディスク５或いは、手差しトレイ６にセットされた用紙に対してトナーを熱と圧力にて定着させることにより画像を印刷させるものである。
【００３７】
＜第１の実施形態＞
続いて、第１の実施形態について説明する。図３は、操作パネル３を示した図である。図中、図１、２に関連する構成に関しては同じ符号を付しており、必要に応じて説明を省略する。
【００３８】
操作パネル３の中央部には、表示部２１０上にタッチパネル２０８が設けられたタッチ画面が設けられており、図３の例では、表示部２１０にコピー機能、ファクス機能、スキャン機能、ＦＴＰ／Ｄｅｓｋｔｏｐ機能を選択する為の４つのアイコンが表示されている。この表示されているアイコン上をユーザがタッチすることによりタッチパネル２０８にてタッチ位置が検出され、タッチ位置に相当する位置に表示されているアイコンに対応する機能が実行される。
【００３９】
タッチ画面の右横側には、ユーザが操作を行う場合の奥の方向から節電キー２０６を検出する領域、ホームキー２０７を検出する領域、ＮＦＣ通信部２１５を用いて通信を行う領域の順に各々並べて設けられている。
【００４０】
ここで、本実施形態ではＮＦＣを用いて通信を行うＮＦＣのインターフェースであるＮＦＣ通信部２１５の通信領域を一番ユーザ側に設けた点に特徴がある。すなわち、節電キー２０６、ホームキー２０７を配置した延長線上にＮＦＣ通信部２１５の通信領域が設けられる。
【００４１】
すなわち、操作パネル３において、操作パネルを操作するユーザ側（図３の下側）から見て、節電キー２０６、ホームキー２０７といった操作部が配置された操作領域より手前にＮＦＣ通信部２１５の通信領域が配置されている。好ましくは、操作パネル３の角部近傍に配置されるが、角部でなくても、操作領域より下側に配置されれば良い。
【００４２】
また、タッチパネル２０８と、操作領域（節電キー２０６及びホームキー２０７）と、ＮＦＣ通信部２１５の通信領域とが操作パネル３の同一面上に設けられている。同一面上に設けられることにより、利用者にとって使い勝手の良い操作パネルを提供することとなる。
【００４３】
図４は、操作パネル３の分解斜視図である。操作パネル３は、上キャビネット４０１と、下キャビネット４０２を併せることにより構成されており、図示しない下キャビネット４０２の裏側に回転軸にてＭＦＰ１に回動可能に固定されている。
【００４４】
上キャビネット４０１には、空間からなる窓部４０３が設けられており、タッチパネル２０８、表示部２１０について窓部４０３を介して操作パネル３内の表示部２１０の確認と、タッチパネル２０８に対するタッチ操作を可能としている。
【００４５】
また、表示部２１０、タッチパネル２０８の横には、基板４０４が設けられている。基板４０４には、節電キー２０６として働く第１静電検知部４０５、ホームキー２０７として働く第２静電検知部４０６が設けられておりユーザの操作を静電容量の変化により検出を行う。
【００４６】
第１静電検知部４０５、第２静電検知部４０６のパターンの両端には照明の為のＬＥＤ素子４０７が各々設けられており、第１静電検知部４０５、第２静電検知部４０６のパターン上にはＬＥＤ素子４０７からの光を上部に導く為の導光板４０８が静電容量の検出に影響を与えない程度に設けられている。
【００４７】
導光板４０８により導かれた光は、上キャビネット４０１の対象領域のキャビネットを半透明とすることで上から光を確認することが出来、キーの位置を容易に確認することが出来ようになっている。
【００４８】
なお、本実施形態では、節電キー２０６と、ホームキー２０７は静電容量検出により操作入力を検出する静電容量式のスイッチとしているが、単なる押圧検知式のスイッチや、機械的な構造のスイッチであっても良いことは勿論である。また、それらを組み合わせても良く、例えば、ホームキー２０７は静電容量式のスイッチであるが、節電キー２０６は、機械的な構造のスイッチであっても良い。
【００４９】
また、操作領域に設けられるスイッチとしては、節電キー２０６と、ホームキー２０７を例に説明しているが、これらのスイッチは１つであっても良いし、更に設けられていても良い。例えば、クリアキー、モード切替キー、ログインキー、電源キーといった、他の操作が行えるスイッチであっても良い。
【００５０】
基板４０４には、更に、近距離無線通信であるＮＦＣ通信を可能とする為にループアンテナ４０９が配線パターンとして設けられている。これらのループアンテナ４０９は、例えばＮＦＣ通信が可能なスマートフォン等の端末装置との通信入出力部である。
【００５１】
基板４０４に設けられた其々のパーツはコネクタ４１０を介して入力Ｉ／Ｆ２０３、通信Ｉ／Ｆ２１１に接続されており、制御部２０１にて処理が行われる。
【００５２】
図５は、操作パネル３の斜視図である。ユーザがＭＦＰ１と携帯端末との通信を実行する際には携帯端末を図６の様にＮＦＣ通信部２１５が設けられた領域（通信領域）に近づけ通信を行う。
【００５３】
このとき、ＮＦＣ通信部２１５が設けられている領域が一番手前に設けられていることから、奥、或いは真ん中にＮＦＣ通信部２１５を設けた場合と比較して、節電キー２０６、ホームキー２０７に被さらないように携帯端末を翳すことが出来る。
【００５４】
ここで、節電キー２０６、ホームキー２０７、ＮＦＣ通信部２１５の検知領域に対する操作入力や通信の制御について、図７を利用して説明する。図７は、それぞれのタッチ入力の検出と、操作信号の状態を説明するための図である。
【００５５】
図７の横軸は時間を示しており、利用者からのタッチ入力が検出された時刻ｔ１から利用者からのタッチ入力が解除された時刻ｔ２までタッチ入力と、通信可能状態と、各操作指示のタイミングを説明している。このとき、節電キー２０６はタッチ入力の検出後、すぐに操作指示があった（操作信号：ＯＮ）ことが出力されている。それに対して、ホームキー２０７は、タッチ入力が検出された後、タッチ入力の検出が解除されたとき（例えば、指が離れたとき等）に、操作指示があった（操作信号：ＯＮ）と出力されている。
【００５６】
また、ＮＦＣ通信部２１５では、タッチ入力（すなわち、ＮＦＣ通信部２１５においては、通信可能状態）がＯＮの間は、通信可能状態となっている。すなわち、タッチ入力（通信可能となった）直後から、通信可能状態となる。
【００５７】
このように、タッチ入力の検出の開始時と、タッチ入力の検出の終了時とに分けて、各操作指示（操作入力）が行われたと判断されるタイミングを変えることにより誤操作を防止することができる。たとえば、ＮＦＣ通信部２１５の領域に携帯端末を翳したときに、ホームキー２０７に誤ってタッチしたとしても、誤操作に基づいた操作指示がされるといったことを防ぐことができる。
【００５８】
＜第２の実施形態＞
続いて、第２の実施形態について、図８を用いて説明する。
【００５９】
第２の実施形態では、ＮＦＣ通信部２１５が通信中の場合は、ホームキー２０７へのタッチ入力があっても、操作指示があったとは出力されない（操作信号がＯＮとならない）実施形態である。
【００６０】
例えば、ＮＦＣ通信部２１５が時刻ｔ１０から時刻ｔ１６までＮＦＣ通信を行っている。すなわち、ＮＦＣ通信部２１５に、携帯端末が翳されている。
【００６１】
このとき、例えば携帯端末や、利用者の指がホームキー２０７に触れてしまっている（時刻ｔ１２から時刻ｔ１４までの間）。この場合、本来であれば、時刻ｔ１４において、ホームキー２０７により操作指示が出力される（ホームキー２０７の操作信号がＯＮとなる）が、ＮＦＣ通信部２１５によりＮＦＣの通信が検出されているため、ホームキー２０７の操作指示があったことにはならない。すなわち、ホームキー２０７の操作信号は「ＯＦＦ」のままとなる。
【００６２】
すなわち、本実施形態では、ＮＦＣの通信が行われている間は、ホームキー２０７からの操作指示には出力されない。すなわち、ホームキー２０７の操作信号はＯＦＦとなり、ＮＦＣ通信中の誤った操作指示を防ぐことが可能となる。
【００６３】
＜第３の実施形態＞
続いて、第３の実施形態について、図９を用いて説明する。
【００６４】
第３の実施形態では、ＮＦＣ通信部２１５が通信後、所定時間の間は、ホームキー２０７からの操作指示を受け付けない実施形態である。
【００６５】
図９に示すように、時刻ｔ２０から時刻ｔ２２までの間、ＮＦＣ通信部２１５を介して携帯端末はＮＦＣ通信状態にある。
【００６６】
このとき、ホームキー２０７のタッチ入力が検出され、ＮＦＣ通信２１５が通信後、所定時間の間にホームキー２０７のタッチ入力が解除されたとしても、ホームキー２０７からの操作指示は受け付けられない。すなわち、この間は操作信号がＯＮとして出力されない。
【００６７】
例えば、ＮＦＣの通信状態が終了してから０．５秒間、１秒間、２秒間といった所定時間の間にホームキー２０７のタッチ入力が解除されたとしても（時刻ｔ２４）、ホームキー２０７の操作信号は「ＯＦＦ」のままである。
【００６８】
このように、例えばＮＦＣ通信部２１５に翳していた携帯端末を外すときに、ホームキー２０７へ触れてしまった場合でも、誤また操作指示を防ぐことが可能となる。
【００６９】
＜第４の実施形態＞
続いて、第４の実施形態について、図９を用いて説明する。
【００７０】
第４の実施形態は、ホームキー２０７へのタッチ入力が所定時間以上継続している場合、ホームキー２０７からの操作指示を受け付けない実施形態である。
【００７１】
すなわち、携帯端末をＮＦＣ通信部２１５が設けられた通信領域に翳して通信を行っているときに、誤ってホームキー２０７へ接触してしまった場合、ホームキー２０７へのタッチ入力が検出される。
【００７２】
そこで、所定時間以上、ホームキー２０７へタッチ操作が検出され続けた場合には、それ以降、タッチ操作が解除されたときであっても操作指示を受け付けない。すなわち操作信号は「ＯＦＦ」の状態となる。
【００７３】
なお、所定時間以上は、例えば、１秒以上、３秒以上といったある一定時間以上であればよい。
【００７４】
なお、このとき、併せてＮＦＣ通信部２１５において通信状態であるかを判定し、ＮＦＣ通信部２１５が携帯端末と通信状態であるか（又は通信状態であったか）を判定し、ＮＦＣ通信部２１５が通信状態のときは、操作指示を受け付けない、操作信号を「ＯＦＦ」とするとしてもよい。
【００７５】
＜第５の実施形態＞
続いて、図１０、１１、１２を用いて第５の実施形態を説明する。本実施形態では、上述の実施形態に加えて、操作パネルの形状に特徴を持たせることにより、より誤操作を防ぐことができる実施形態について説明する。
【００７６】
本実施形態では、操作パネル３の表面にＮＦＣ通信部２１５の領域を設けており第１の実施形態と同様であるが、その領域に傾斜を設けている点が異なる。
【００７７】
一例として、本実施形態の例では、操作パネル３の手前側から奥側（中央付近）にかけて徐々に高くなっており、その傾斜の頂点より手前側にＮＦＣ通信部２１５の通信領域を設ける。そして、傾斜の頂点近傍（中央付近）から更に奥側にかけて徐々に低くなっていっている領域に、それ以外の節電キー２０６、ホームキー２０７の操作領域を設ける点を特徴としている。
【００７８】
すなわち、ＮＦＣ通信部２１５の通信領域を操作パネル３上の手前から奥側に向かって高く傾斜している傾斜部に設け、操作領域を操作パネル３上の前記傾斜部とは異なる傾斜角の傾斜部に配置することを特徴とする。
【００７９】
このように通信領域及び操作領域を配置することで図１２に示すように、本来ならホームキー２０７の領域にかかり静電容量の変化から誤検出を起こしうる携帯端末の位置であったとしても、キーからの距離を取ることで誤検出を防止することが可能となる。
【００８０】
なお、上述した実施形態では、操作パネル３の手前から奥側に向かって傾斜部を設ける例について説明したが、例えば左右方向であっても良い。具体的には、利用者から見て操作パネル３の右側から中央付近に向かって徐々に高くすることで第１傾斜部を設ける。また、中央付近から左側に向かって徐々に低くすることで第２傾斜部を設ける。そして、第１傾斜部に通信領域を、第２傾斜部に操作領域を設けても良い。
【００８１】
また、上述した通信領域と、操作領域とを逆に設けても良い。例えば、手前側に操作領域を設け、奥側に通信領域を設けても良い。この場合、傾斜部により傾斜が設けられていることから、携帯端末をＮＦＣ通信部２１５に翳したとしても節電キー２０６、ホームキー２０７とは、異なる角度で触れることになることで誤検出を防止することが可能となる。
【００８２】
＜変形例＞
以上、この発明の実施形態について図面を参照して詳述してきたが、具体的な構成はこの実施形態に限られるものではなく、この発明の要旨を逸脱しない範囲の設計等も特許請求の範囲に含まれる。
【００８３】
また、上述した実施形態では、画像形成装置の一例としてＭＦＰについて説明したが、例えば、単体のファクシミリや、プリンタ、写真印刷機といった装置に適用しても良いことは勿論である。
【００８４】
また、上述した実施形態では、ＮＦＣ通信部を利用し、携帯端末装置と通信を行う場合を説明したが、他の近接型通信に利用しても良い。例えば、認証カードをＲＦＩＤを利用して通信を行う場合についても同様に適用可能である。
【符号の説明】
【００８５】
１  ＭＦＰ
３  操作パネル
４  排紙トレイ
５  ３段給紙ディスク
６  手差しトレイ
７  前カバー
８  右側面カバー
２０１  制御部
２０２  記憶部
２０４  スキャナー部
２０６  節電キー
２０７  ホームキー
２０８  タッチパネル
２１０  表示部
２１２  電話部
２１３  ＬＡＮ通信部
２１４  ＷｉＦｉ通信部
２１５  ＮＦＣ通信部
２１６  印刷部
【図１】
2019117523.tif 000003
【図２】
2019117523.tif 000004
【図３】
2019117523.tif 000005
【図４】
2019117523.tif 000006
【図５】
2019117523.tif 000007
【図６】
2019117523.tif 000008
【図７】
2019117523.tif 000009
【図８】
2019117523.tif 000010
【図９】
2019117523.tif 000011
【図１０】
2019117523.tif 000012
【図１１】
2019117523.tif 000013
【図１２】
2019117523.tif 000014